(57)【要約】【課題】本発明は、シュミレーション方法に関し、例えばカーオーディオ装置を装着した状況の確認に利用して、自分の車の雰囲気を考慮してカーオーディオ装置等を選択することができるようにする。【解決手段】本発明は、車両に関する情報と、車両に搭載希望の商品の選択とを受け付け、これらにより車両にカーオーディオ装置等の商品を搭載した状態を画像合成して表示する。【選択図】        図１
2004220245.tif 000002
【特許請求の範囲】
【請求項１】
車両のデザインを特定可能に、車両に関する情報を受け付ける車両情報受け付けステップと、
前記車両に搭載希望の商品の選択を受け付ける商品選択ステップと、
前記車両に関する情報により特定されるデザインの車両に、前記商品選択ステップで選択を受け付けた商品を搭載してなる画像を合成する画像合成ステップと、
前記画像合成のステップで合成した画像を表示する画像表示ステップとを有する
ことを特徴とするシュミレーション方法。
【請求項２】
前記商品が、
カーオーディオ装置又はカーナビゲーション装置であり、
前記車両のデザインが該車両の内装である
ことを特徴とする請求項１に記載のシュミレーション方法。
【請求項３】
前記画像表示ステップで表示した画像上における前記商品の操作子について、少なくとも機能をユーザーに通知する通知のステップを有する
ことを特徴とする請求項２に記載のシュミレーション方法。
【請求項４】
前記画像合成のステップは、
前記車両の状況及び又は商品の使用の状況に応じて前記画像を合成する
ことを特徴とする請求項２に記載のシュミレーション方法。
【発明の詳細な説明】
【０００１】
【発明の属する技術分野】
本発明は、シュミレーション方法に関し、例えばカーオーディオ装置を装着した状況の確認に利用することができる。本発明は、車両にカーオーディオ装置等の商品を搭載した状態を画像合成して表示することにより、自分の車の雰囲気を考慮してカーオーディオ装置等を選択することができるようにする。
【０００２】
【従来の技術】
従来、カー用品店、家電販売店等においては、多数のカーオーディオ装置、カーナビゲーション装置を比較可能に展示するようになされており、これによりカーオーディオ装置等を購入するユーザーにおいては、このように展示された商品を比較、検討して購入するようになされている。
【０００３】
これに対して例えば特開平５−１０３３９８号公報においては、種々の音響再生雰囲気をシュミレーション可能な音響制御装置が提案されるようになされている。
【特許文献１】
特開平５−１０３３９８号公報
【０００４】
【発明が解決しようとする課題】
ところでこのように展示された多数の商品の比較によりカーオーディオ装置等を購入する場合、いわゆる目立つ商品を購入する傾向が強い。これにより実際に購入したカーオーディオ装置等を車両に取り付けた場合に、回りの雰囲気に対して不釣り合いにカーオーディオ装置が目立ってしまう場合がある。
【０００５】
特に、車両によっては、スピードメータ、タコメータ等の照明色を赤色等により統一しているものもあり、このような車両に搭載した場合、折角、統一された照明色による室内空間の雰囲気が、カーオーディオ装置のイルミネーションによって害されてしまう場合もある。
【０００６】
これによりこのような自分の車の雰囲気を考慮してカーオーディオ装置等を選択することができれば、便利であると考えられる。
【０００７】
本発明は以上の点を考慮してなされたもので、自分の車の雰囲気を考慮してカーオーディオ装置等を選択することができるシュミレーション方法を提案しようとするものである。
【０００８】
【課題を解決するための手段】
かかる課題を解決するため請求項１の発明においては、車両のデザインを特定可能に、車両に関する情報を受け付ける車両情報受け付けステップと、車両に搭載希望の商品の選択を受け付ける商品選択ステップと、車両に関する情報により特定されるデザインの車両に、商品選択ステップで選択を受け付けた商品を搭載してなる画像を合成する画像合成ステップと、画像合成のステップで合成した画像を表示する画像表示ステップとを有するようにする。
【０００９】
請求項１の構成によれば、車両のデザインを特定可能に、車両に関する情報を受け付ける車両情報受け付けステップと、車両に搭載希望の商品の選択を受け付ける商品選択ステップと、車両に関する情報により特定されるデザインの車両に、商品選択ステップで選択を受け付けた商品を搭載してなる画像を合成する画像合成ステップと、画像合成ステップで合成した画像を表示する画像表示ステップとを有することにより、自分の車両について車両に係る情報を入力し、また所望する商品を選択することにより、自分の車両にこの商品を搭載した状態を合成画像により確認することができ、これにより自分の車の雰囲気を考慮してカーオーディオ装置等を選択することができる。
【００１０】
【発明の実施の形態】
以下、適宜図面を参照しながら本発明の実施の形態を詳述する。
【００１１】
（１）実施の形態の構成
図２は、本発明の実施の形態に係るカーオーディオ装置の展示コーナーを示す斜視図である。この展示コーナー１においては、展示パネル２に、販売に係る各種商品であるスピーカ３Ｒ、３Ｌ、４Ｒ、４Ｌ、５Ｒ、５Ｌ、カーオーディオ装置６、７、８が展示され、これらを選択して試聴できるようになされ、これにより従来と同様の商品の比較により所望する商品を選択できるようになされている。
【００１２】
この展示コーナー１では、この展示パネル２の正面にモニタ装置１０が配置される。ここでこのモニタ装置１０は、表示画面１１上に配置したタッチパネル１２の操作により、ユーザーによるカーオーディオ装置６、７、８、スピーカ３Ｒ、３Ｌ、４Ｒ、４Ｌ、５Ｒ、５Ｌの選択、これらの商品の搭載を希望する車両の情報を受け付け、この車両に実際にカーオーディオ装置等を取り付けた際の室内空間を表示画面１１に表示するようになされている。また表示画面１１の左右には、各種の操作子１３が配置され、これによりこの展示コーナー１においては、種々のカーオーディオ装置を車両に搭載した際の雰囲気を事前に確認できるようになされている。
【００１３】
図３は、このモニタ装置１０の表示画面を形成するコンピュータの構成を示すブロック図である。このコンピュータ１４において、スイッチャ１５は、インターフェース（Ｉ／Ｆ）１６を介した中央処理ユニット（ＣＰＵ）１７の制御により、スピーカ３Ｒ〜５Ｌ、カーオーディオ装置６〜８の接続を切り換える。これによりこの展示コーナー１では、ユーザーにより選択されたカーオーディオ装置６〜８、スピーカ３Ｒ〜５Ｌを選択して試聴できるようになされている。
【００１４】
すなわちこのコンピュータ１４においては、リードオンリメモリ（ＲＯＭ）１８の記録に従ってランダムアクセスメモリ（ＲＡＭ）１９にワークエリアを確保してハードディスク装置（ＨＤＤ）２０に記録された所定の処理プログラムを中央処理ユニット１７により実行する。これにより中央処理ユニット１７は、インターフェース２２を介して検出されるタッチパネル１２、操作子１３による入力機構の操作に応動して、スイッチャ１５を切り換え、所望するカーオーディオ装置６〜８、スピーカ３Ｒ〜５Ｌを選択して試聴できるようになされている。またインターフェース２３を介してスピーカ３Ｒ〜５Ｌに接続したカーオーディオ装置６〜８の動作を制御し、音量、音質等を可変し、さらには音楽のソースを種々に切り換えることができるようになされている。
【００１５】
この一連の処理において、中央処理ユニット１７は、モニタ装置１０の表示画面１１に所定のアイコンを表示し、タッチパネル１２の操作によるこのアイコンの選択により、シュミレーションのプログラムを開始し、モニタ装置１０にカーオーディオ装置６〜８が搭載されてなる車内空間を表示する。なおこのシュミレーションプログラム等においては、インターネット等のネットワークを介してダウンロードしたプログラムのインストールにより、さらには各種の記録媒体により提供されるプログラムのインストールにより提供されるようになされている。なおこのような記録媒体としては、磁気ディスク、光ディスク、磁気テープ等の記録媒体を適用することができる。
【００１６】
この処理において、中央処理ユニット１７は、ハードディスク装置２０に記録された車両データベース（車両ＤＢ）２０Ａ、商品データベース（商品ＤＢ）２０Ｂの記録に従って、車内空間を表示する。
【００１７】
ここで車両データベース２０Ａは、商品であるカーオーディオ装置６〜８が搭載されるダッシュボード等の部位のデザインを記録したデータベースであり、図４に示すように、このデザインを特定可能に、車両情報、内装情報が割り当てられ、さらにデザイン自体を示すデザイン情報が割り当てられるようになされている。ここで車両情報は、車両を特定する情報であり、この実施の形態では、メーカー名、車種、グレード、年式の情報により構成されるようになされている。なおこの実施の形態では、このようにして特定される車両について、外見の画像情報であるエクステリア情報がこの車両データベース２０Ａに記録されるようになされ、このエクステリア情報による画像を表示してユーザーにより車両を確認できるようになされている。これに対して内装情報は、この車両情報で特定される車両について、内装の色彩を特定する情報であり、この実施の形態では、車両のカタログに搭載されてなる色見本の情報により構成されるようになされている。
【００１８】
これに対してデザイン情報は、これら車両情報、内装情報により特定される内装を表示する画像情報であり、昼間用と夜間用とが割り当てられるようになされている。ここで昼間用のデザイン情報は、昼間のように、周囲が明るい状態で見て取られる内装の表示用情報であり、カーオーディオ装置が搭載される部位の内装色を確認可能に表示できるように構成される。これに対して夜間用のデザイン情報は、夜間における内装の画像情報であり、夜間、ライトを点灯した状態における内装の画像情報である。具体的にこの夜間用のデザイン情報は、タコメータ、スピードメータの照明色等を画像により確認できるように構成される。これによりこの実施の形態では、車両における種々の状況に応じて、カーオーディオ装置が装着されてなる状態を確認できるようになされている。
【００１９】
これに対して商品データベース２０Ｂは、商品であるカーオーディオ装置６〜８のデザインを記録したデータベースであり、図５に示すように、このデザインを特定可能に、商品情報、デザイン情報が割り当てられるようになされている。すなわち商品情報は、カーオーディオ装置６〜８を特定可能な情報であり、製品番号等の情報により構成される。これに対してデザイン情報は、車両データベース２０Ａに記録されたデザイン情報に対応する画像情報であり、カーオーディオ装置の状況毎に、設けられる。すなわちデザイン情報は、それぞれ昼間用及び夜間用が割り当てられるようになされている。また例えばコンパクトディスクを再生している場合、ＦＭ放送を受信している場合とで表示が切り換わることにより、さらにはイルミネーションの表示モードに応じて表示が切り換わることにより、このような動作モード、表示モードに係る状況毎に設けられるようになされている。なおこのような表示モードにあっては、再生中のオーディオ信号をスペクトルアナライザによる解析結果風に表示する場合、再生中のオーディオ信号を信号波形により表示する場合、右及び左チャンネルの音量をグラフ状に表示する場合、再生中の曲名等を表示する場合、さらには特定の画像を表示する場合等である。
【００２０】
中央処理ユニット１７は、これらのデータベース２０Ａ及び２０Ｂの記録に従って、図１及び図６に示す処理手順を実行することにより、ユーザーにより選択された車両、カーオーディオ装置による車内の様子をモニタ装置１０に表示する。
【００２１】
すなわち中央処理ユニット１７は、ユーザーによるタッチパネル１２の操作によりシュミレーションのプログラムの開始が指示されると、ステップＳＰ１からステップＳＰ２に移り、車両データベース２０Ａに記録された車両情報に係るメーカー名一覧表、車両一覧表、グレード一覧表等を順次モニタ装置１０に表示してユーザーの選択を受け付けることにより、車両のデザインを特定可能に、車両に関する情報を受け付ける。続いて中央処理ユニット１７は、ステップＳＰ３に移り、車両データベース２０Ａを検索し、続くステップＳＰ４において、ステップＳＰ２で受け付けた車両に関する情報により特定されるエクステリア情報により、ユーザーの指示した車両の外観による画像をモニタ装置１０に表示する。またこのとき併せてユーザーに確認を促すメッセージを所定のボタンをと共に表示する。
【００２２】
中央処理ユニット１７は、続くステップＳＰ５において、このメッセージと共に表示したボタンの操作によりユーザーによる確認が得られたか否か判断し、ここでユーザーにより確認が得られない場合、ステップＳＰ２に戻って、改めて車両に関する情報の入力を受け付ける。これに対してユーザーにより確認が得られると、ステップＳＰ５からステップＳＰ６に移る。
【００２３】
このステップＳＰ６において、中央処理ユニット１７は、車両データベース２０Ａに記録された内装情報による色見本を表示してユーザーによる選択を受け付け、これにより内装色の選択を受け付ける。続いて中央処理ユニット１７は、ステップＳＰ７に移り、ユーザーにより選択された内装色により車両データベース２０Ａを検索し、続くステップＳＰ８において、これら車両に関する情報、内装色による内装をモニタ装置１０に表示する。なおこの場合中央処理ユニット１７は、昼間用のデザイン情報により内装を表示する。またこのとき併せてユーザーに確認を促すメッセージを所定のボタンと共に表示する。
【００２４】
続いて中央処理ユニット１７は、ステップＳＰ９に移り、ステップＳＰ８でメッセージと共に表示したボタンの操作によりユーザーによる確認が得られたか否か判断し、ここでユーザーにより確認が得られない場合、ステップＳＰ６に戻って、改めて内装色の入力を受け付ける。これに対してユーザーにより確認が得られると、ステップＳＰ９からステップＳＰ１０（図６）に移る。
【００２５】
このステップＳＰ１０において、中央処理ユニット１７は、販売中のカーオーディオ装置６〜８の一覧表を表示し、この一覧表におけるユーザーの選択により搭載希望の商品の選択を受け付ける。続いて中央処理ユニット１７は、ステップＳＰ１１に移り、ステップＳＰ１０の選択により商品データベース２０Ｂを検索する。また続くステップＳＰ１２において、この検索結果より昼間用のデザイン情報による画像と、ユーザーにより選択されたカーオーディオ装置の対応するデザイン情報による画像とを画像合成し、この画像合成による画像を表示する。なおこの表示において、中央処理ユニット１７は、カーオーディオ装置６〜８については、これらカーオーディオ装置６〜８を最も特徴付ける昼間用のデザイン情報を採用して画像表示する。これにより中央処理ユニット１７は、ユーザーの所望するカーオーディオ装置をユーザーの車両に搭載した状態により表示し、これによりこの展示コーナー１では、自分の車の雰囲気を考慮してカーオーディオ装置を選択することができるようになされている。
【００２６】
また中央処理ユニット１７は、併せて確認を促すボタンを表示し、続くステップＳＰ１３において、このボタンの操作によりユーザーによる確認が得られたか否か判断する。ここでユーザーにより確認が得られない場合、中央処理ユニット１７は、ステップＳＰ１３からステップＳＰ１０に戻り、改めてユーザーによる商品の選択を受け付ける。これに対してユーザーにより確認が得られると、中央処理ユニット１７は、ステップＳＰ１３からステップＳＰ１４に移り、複数のメニューを表示し、このメニューの選択によりステップＳＰ１５〜ステップＳＰ１９の処理手順をそれぞれ実行した後、ステップＳＰ２０に移る。
【００２７】
すなわち中央処理ユニット１７は、夜間照明、表示デモのメニューが選択されると、ステップＳＰ１４からステップＳＰ１５に移り、モニタ装置１０の表示に供するデザイン情報のうち、カーオーディオ装置側のデザイン情報を順次昼間用のデザイン情報で切り換えて画像合成し、この合成画像を表示する。これにより順次カーオーディオ装置６〜８における表示を切り換えて、ユーザーの車両にカーオーディオ装置を搭載してなる画像を表示する。またこのようにして表示の切り換えが一巡すると、外装側及びカーオーディオ装置６〜８の双方について、夜間用のデザイン情報を選択してシュミレーションによる画像を表示する。またこの夜間用の画像において、順次カーオーディオ装置側のデザイン情報を切り換えて合成画像を表示する。
【００２８】
これに対してユーザーにより表示デモのメニューが選択されると、中央処理ユニット１７は、ステップＳＰ１６に移り、単に、カーオーディオ装置側のデザイン情報を順次切り換えてシュミレーションによる画像を表示する。
【００２９】
これによりこの実施の形態においては、車両又は商品の使用の状況に応じて順次画像を合成して表示し、種々の状況において、自分の車の雰囲気を考慮してカーオーディオ装置等を選択することができるようになされている。
【００３０】
これに対して操作方法説明のメニューがユーザーにより選択されると、ステップＳＰ１７に移り、モニタ装置１０に表示したカーオーディオ装置６〜８について、所定の順序により各操作子の名称、機能を説明するメッセージを表示する。これに対してユーザーによりモニタ内操作デモのメニューが選択されると、モニタ装置１０におけるカーオーディオ装置６〜８について、各操作子が操作された場合の状態を、対応する操作子を矢印等により差し示して再現する。なお中央処理ユニット１７は、この場合、インターフェース１６を介してスイッチャ１５の動作を切り換えてスピーカによりオーディオ信号を試聴できるようにし、矢印により差し示した操作子が実際に操作された場合と同様に、インターフェース２３を介して対応するカーオーディオ装置６〜８の音量等を可変するようになされている。
【００３１】
これらステップＳＰ１７、ステップＳＰ１８によりこの展示コーナー１では、モニタ装置１０で表示した画像上におけるカーオーディオ装置の操作子について、少なくとも各操作子の機能を通知するようになされている。
【００３２】
これに対してお進めの組み合わせによるデモのメニューが選択されると、中央処理ユニット１７は、ステップＳＰ１９に移り、お進めのスピーカとの組み合わせによりユーザーの選択したカーオーディオ装置を試聴できるように、スイッチャ１５の設定を切り換える。この状態でカーオーディオ装置を制御し、一連のデモ用音楽をカーオーディオ装置で再生させる。
【００３３】
このようにして各種のステップＳＰ１５〜１９の処理を完了すると、又はこれらの処理中にユーザーにより終了のメニューが操作されると、中央処理ユニット１７は、ステップＳＰ２０に移り、ユーザーによる購入確認の操作を受け付ける。ここで否定結果が得られると、中央処理ユニット１７は、ステップＳＰ１４又はステップＳＰ１０に戻るのに対し、肯定結果が得られると、ステップＳＰ２１に移る。ここで中央処理ユニット１７は、その他の実際に車に取り付ける際に必要な部品類（取り付けに必要な金具類等である）を表示した後、ステップＳＰ２２に移り、購入金額等の表示、購入確認等に係る一連の購入処理を実行した後、ステップＳＰ２３に移ってこの処理手順を終了する。
【００３４】
（２）実施の形態の動作
以上の構成において、この展示コーナー１に来訪したユーザーにおいては、表示画面１１に表示されたメニューの選択により、搭載を予定する自分の車両に係る情報を入力した後、内装色を入力することにより、カーオーディオ装置の搭載予定の内装を特定する情報がコンピュータ１４に入力される。また続いて取り付けを希望するカーオーディオ装置を選択すると、車両データベース２０Ａ、商品データベース２０Ｂの記録より、車両の内装に係る画像に、ユーザーの選択したカーオーディオ装置の画像が画像合成されて表示される。これによりこの展示コーナー１においては、自分の車の雰囲気に、購入を希望するカーオーディオ装置が適したものか否か、さらには自分の車にカーオーディオ装置を搭載して、自分の趣味に合致した雰囲気を醸しだすことができるか否か、商品を購入して車両に取り付ける前に確認することができる。
【００３５】
またこのようにして画像合成に係るシュミレーションの画像を表示して、ユーザーの選択によりカーオーディオ装置の表示が切り換わってなる画像が表示され、さらには夜間におけるシュミレーションの画像が同様に表示される。これによりこの展示コーナー１においては、車両、カーオーディオ装置の状況に応じて変化する車内の雰囲気を考慮することができ、例えばタコメータ、スピードメータの照明色との調和等を判断することができる。
【００３６】
またユーザーによるメニューの選択により、各操作子の名称、機能が表示され、さらには一連の操作による結果が再現され、これにより各操作子の機能が確実にユーザーに通知される。これによりユーザーにおいては、購入時、操作方法等をある程度理解することができ、その分、ユーザーにおける使い勝手が向上される。
【００３７】
すなわちこの種の商品においては、操作子等の表示に略語が使われ、また独特の呼び名が割り当てられていることにより、当初、操作方法、機能を理解するのが困難な欠点がある。しかしながらこれら操作方法、機能に関する説明書は、購入後に購入者に手渡されるのが通常である。これによりこのように購入希望時、各操作子の名称、機能を表示し、さらには一連の操作による結果を再現することにより、カーオーディオ装置を身近なものとすることができ、その分、購入を増進させることができる。
【００３８】
（３）実施の形態の効果
以上の構成によれば、車両にカーオーディオ装置を搭載した状態を画像合成して表示することにより、自分の車の雰囲気を考慮してカーオーディオ装置を選択することができる。
【００３９】
またこのとき車両の状況、カーオーディオ装置の使用状況に応じて、合成対象の画像を切り換えて画像合成することにより、夜間における内装の照明色等との調和を考慮してカーオーディオ装置を選択することができる。
【００４０】
またカーオーディオ装置の操作子について、操作による結果を認識可能にユーザーに通知することにより、カーオーディオ装置を身近なものとして購入を促進することができる。
【００４１】
（４）他の実施の形態
なお上述の実施の形態においては、車両にカーオーディオ装置を搭載した状態を単に画像合成して表示する場合について述べたが、本発明はこれに限らず、この画像の表示において視点を移動させることができるようにしてもよい。このようにすれば、運転席からの雰囲気、助手席からの雰囲気、後部座席からの雰囲気等について、個別に考慮することができる。
【００４２】
また上述の実施の形態においては、カーオーディオ装置を車両に搭載する場合について述べたが、本発明はこれに限らず、カーナビゲーション装置を車両に搭載する場合にも、広く適用することができる。なおカーナビゲーション装置においては、ダッシュボード上に室内アンテナを配置する場合もあることにより、このような付属品の配置により変化する室内空間の雰囲気をも考慮することができる。またこのような車両の内装品に限らず、例えば室外アンテナのように、車外に搭載する商品についても搭載した状態を確認できるようにしてもよい。因みに、このような屋外アンテナについては、このようにシュミレーションして、商品を選択するだけでなく、ユーザーが最も適しているとする取り付け位置を決定すること等が考えられる。
【００４３】
また上述の実施の形態においては、カー用品店における商品の販売に本発明を適用する場合について述べたが、本発明はこれに限らず、例えばインターネット上のホームページで同様のシュミレーションを実行するようにしてもよい。
【００４４】
【発明の効果】
上述のように本発明によれば、車両にカーオーディオ装置等の商品を搭載した状態を画像合成して表示することにより、自分の車の雰囲気を考慮してカーオーディオ装置等を選択することができる。
【図面の簡単な説明】
【図１】本発明の実施の形態に適用されるコンピュータにおけるシュミレーションのプログラムにおける処理手順を示すフローチャートである。
【図２】本発明の実施の形態に係る展示コーナーを示す斜視図である。
【図３】図２のモニタ装置の駆動に係るコンピュータのブロック図である。
【図４】車両データベースを示す図表である。
【図５】商品データベースを示す図表である。
【図６】図１の続きを示すフローチャートである。
【符号の説明】
１……展示コーナー、６〜８……カーオーディオ装置、１０……モニタ装置、１４……コンピュータ、１７……中央処理ユニット、２０Ａ……車両データベース、２０Ｂ……商品データベース
【図１】
2004220245.tif 000003
【図２】
2004220245.tif 000004
【図３】
2004220245.tif 000005
【図４】
2004220245.tif 000006
【図５】
2004220245.tif 000007
【図６】
2004220245.tif 000008